(57)【要約】      （修正有）【課題】小さいスペース内での複数の物品の融通性の高い確実な収容を促進する、バッグ用の保持構造を提供する。【解決手段】保持構造１００は、バッグのパネル１０２上に配置された第１のバンド１１０および第２のバンド１１１であって、各々が弾性材料を含む、第１のバンドおよび第２のバンドを備える。第１のバンドおよび第２のバンドは、部分的に重なり合った状態で０°超９０°未満の角度を画定し、この結果、２つの少なくとも部分的に重畳された保持領域が形成されている。【選択図】図１
2020036879.tif 000002
【特許請求の範囲】
【請求項１】
バッグ用の保持構造であって、
ａ．  バッグのパネル上に配置された第１のバンドおよび第２のバンドであって、各々が弾性材料を含む、第１のバンドおよび第２のバンドを備え、
ｂ．  第１のバンドおよび第２のバンドは部分的に重なり合った状態で０°超９０°未満の角度を画定し、この結果、２つの少なくとも部分的に重畳された保持領域が形成されている、保持構造。
【請求項２】
バッグのパネル上に配置された弾性材料を含む第３のバンドを含み、第３のバンドは、第１のバンドおよび第２のバンドの少なくとも一方と少なくとも部分的に重なり合い、この結果、第３の保持領域が形成されており、第３のバンドは第１のバンドと平行である、請求項１に記載の保持構造。
【請求項３】
バッグのパネル上に配置された弾性材料を含む第４のバンドを含み、第１のバンドは第３のバンドと平行であり、第２のバンドは第４のバンドと平行である、請求項２に記載の保持構造。
【請求項４】
重なり合うバンドを５つ以上備える、請求項３に記載の保持構造。
【請求項５】
少なくとも４つのバンドを備え、第２のバンドは第３のバンドの上および第１のバンドの下に延在し、第３のバンドは第４のバンドの上および第２のバンドの下に延在する、請求項１〜４のいずれか１つに記載の保持構造。
【請求項６】
保持領域のうちの少なくとも１つはポーチとして提供される、請求項１〜５のいずれか１つに記載の保持構造。
【請求項７】
保持構造の一番外側のバンドは一方の一番外側の縁部に沿ってシールされてポーチを形成している、請求項１〜６のいずれか１つに記載の保持構造。
【請求項８】
少なくとも１つのバンドとバッグのパネルとの間にライニングが配置されてポーチを形成している、請求項１〜７のいずれか１つに記載の保持構造。
【請求項９】
シールされた一番外側のバンドは基礎バンドであり、基礎バンドは保持構造の１つまたは複数の他のバンドよりも幅広である、請求項７に記載の保持構造。
【請求項１０】
バッグのパネル上に平行に配置されている１つまたは複数のバンドは各々、１つまたは複数のポーチを形成するように各バンドとバッグのパネルとの間に配置されたライニングを備える、請求項３〜９のいずれか１つに記載の保持構造。
【請求項１１】
バッグのパネル上に平行に配置されている１つまたは複数のバンドは各々、同じ側に沿ってシールされて１つまたは複数のポーチを形成している、請求項３〜１０のいずれか１つに記載の保持構造。
【請求項１２】
バッグのパネル上に平行に配置されている１つまたは複数のバンドは各々、それらの表面上に配置されたライニングを備え、各ライニングは、基礎バンドまで延在して１つまたは複数のサイズの異なるポーチを形成している、請求項３〜１１のいずれか１つに記載の保持構造。
【請求項１３】
バッグ上に配置された補強層を更に備え、補強層はパネルとバンドとの間に配置されている、請求項１〜１２のいずれか１つに記載の保持構造。
【請求項１４】
バンドの幅は１ｃｍから３０ｃｍの間である、請求項１〜１３のいずれか１つに記載の保持構造。
【請求項１５】
バンドの長さは１ｃｍから４５ｃｍの間である、請求項１〜１４のいずれか１つに記載の保持構造。
【請求項１６】
保持構造の長さは５ｃｍから４５ｃｍの間である、請求項１〜１５のいずれか１つに記載の保持構造。
【請求項１７】
バンドは本質的にバッグのパネルの一方の側縁部からバッグのパネルの他方の側縁部まで延在する、請求項１〜１６のいずれか１つに記載の保持構造。
【請求項１８】
保持構造はバッグの外側に配置されている、請求項１〜１７のいずれか１つに記載の保持構造。
【請求項１９】
請求項１〜１８のいずれか１つに記載の保持構造を備える、バッグ。
【請求項２０】
バッグはバックパックとして提供され、保持構造はバックパックの背面に配置されている、請求項１９に記載のバッグ。
【発明の詳細な説明】
【技術分野】
【０００１】
本発明はバッグ用の保持構造に、およびかかる保持構造を備えるバッグに関する。
【背景技術】
【０００２】
バックパック、ダッフルバッグ、スーツケース、または類似のものなどのバッグは通常、物品を保持するための１つまたは複数の大きいコンパートメントを備える。かかるバッグはまた、より小さい物品をバッグの大きいコンパートメント内の物品から分けて安全にしまっておけるように保持することを意図した、１つまたは複数のより小さいコンパートメントも備える。より小さいコンパートメントには、それらが保持することを意図される物品に適した特定のサイズ、形状、および位置が与えられる（例えば、ペンホルダおよび飲料ボトルホルダはいずれも円筒形のコンパートメントであるが、サイズが異なっている）。より小さいコンパートメントは、バッグの内側にあっても外側にあってもよい。
【０００３】
より小さいコンパートメントまたはポーチは、バッグの大きいコンパートメントと同じ材料、例えば線維材料または任意の他の好適な材料から作製されてもよい。別法として、より小さいコンパートメントまたはポーチは、バッグの大きいコンパートメントとは異なる材料、例えばメッシュまたはストラップから作製されてもよい。メッシュは他の材料よりも軽い場合があり、または、ストラップは他の材料よりも強度が高い場合がある。
【０００４】
知られているバッグ用のポーチの欠点は、それらが通常、個々のポーチとして形成されていることである。複数の個別のポーチ内に物品を収容するとき、バッグの内部または外側のかなりの量の利用可能なスペースが占有される。この結果、限られた数のポーチしか提供できず、このことはひいては、より多数の物品を個別に収容できる可能性が限定されることにつながる。
【０００５】
バッグの表面上にまたは内部に物品を維持するために、ポーチではなくストラップを提供することが知られている。ストラップはポーチ全体よりも占有するスペースが少なく、通常は、構築するのに必要な追加の材料がより少ない。ストラップは、ストラップとバッグの表面との間で物体を維持する。所望であれば、ストラップは弾性を有してもよく、または調節可能であってもよい。
【０００６】
複数のストラップを備えるバッグに関して、例えばＧｒｉｄ−ｉｔ（登録商標）の商品名で提供されているバッグにおけるような、より良好な編成を実現できる。複数のストラップの類似の配置が、米国特許出願公開第２００９／００３９１２２号明細書に開示されている。しかしながら、複数の平行なストラップおよび直交するストラップによって物品を取り付けるのは、物品を確実に固定するには、およびそれらが滑り落ちるのを防止するには、十分でない場合がある。このように、従来技術から知られているようなポーチおよびストラップは、物品が散乱または更には紛失するのを、確実に回避することができない。
【先行技術文献】
【特許文献】
【０００７】
【特許文献１】米国特許出願公開第２００９／００３９１２２号明細書
【発明の概要】
【発明が解決しようとする課題】
【０００８】
したがって、上で概説した従来技術の欠点を少なくとも部分的に克服し、小さいスペース内での複数の物品の融通性の高い確実な収容を促進する、バッグ用の保持構造を提供することが、本発明の目的である。
【課題を解決するための手段】
【０００９】
上記の目的は、請求項１に記載のバッグ用の保持構造によって、少なくとも部分的に達成される。
【００１０】
ある実施形態では、保持構造は、バッグのパネル上に配置された第１のバンドおよび第２のバンドを備え、第１のバンドおよび第２のバンドの各々は弾性材料を含み、第１のバンドおよび第２のバンドは部分的に重なり合った状態で０°超９０°未満の角度を画定し、この結果、２つの少なくとも部分的に重畳された保持領域が形成されている。好ましくは、第１のバンドおよび第２のバンドは部分的に重なり合った状態で０°超９０°未満の角度を画定し、第１のバンドは第２のバンドを覆って延在する。
【００１１】
重なり合う第１のバンドおよび第２のバンドは、重なり合った部分において斜角／鋭角を形成し得る。その場合、第１のバンドおよび第２のバンドの配置は、対角線状、交差状、傾斜状（slanted）、斜面状（sloped）、または、重なり合った部分において斜角／鋭角を作り出せる任意の他の類似の様式であってよい。
【００１２】
０°超９０°未満の角度が形成されるように重なり合うバンドの配置に起因して、対応する保持構造はコンパクトな様式で配置されるが、それでもなお異なる保持領域を提供する。保持領域は、バンド同士の間に、および／または各バンドとバッグのパネルとの間に、形成されてもよい。この結果、保持構造により、様々な物品を整理して収容することが容易になる。更に、バンドの重なり合う配置により、過剰な引っ張りに対するそれらの安定性が改善され、ひいては、対応する保持領域がかなりのサイズおよび重量の物品をも確実に収容する能力が改善される。
【００１３】
保持構造は、バッグのパネル上に配置された弾性材料を含む第３のバンドを含んでもよく、この場合、第３のバンドは、第１のバンドおよび第２のバンドの少なくとも一方と少なくとも部分的に重なり合うことができる。好ましくは、第３のバンドは第２のバンドを覆うように配置することができる。第３のバンドは、更に第１のバンドと平行であってもよく、また、第３の保持領域を形成してもよい。この文脈では、平行とは「本質的に平行」であるものと理解され、この場合、「本質的に」という用語は、当業者に知られているような通常の製造公差を包含するものと理解される。第３のバンドを用いれば、より多くの保持領域が提供されるだけでなく、それらが非常にスペースを節約する様式で配置される。更に、第３のバンドと少なくとも１つの他のバンドとの間の重なり合いにより、複数の保持領域の安定性が更に高まる。この理由は、物品がパネルに押し付けられる力が大きくなり、それぞれの保持領域内により一層重い物品を収容することが可能になるからである。
【００１４】
保持構造は、バッグのパネル上に配置された弾性材料を含む第４のバンドを含むことができ、この場合、第１のバンドは第３のバンドと本質的に平行に配置することができ、第２のバンドは第４のバンドと本質的に平行に配置することができる。このことにより、複数の重畳された保持領域の非常にコンパクトな配置が、およびこのことにより保持構造が、提供される。
【００１５】
また更に、保持構造は、重なり合うバンドを５つ以上備えてもよい。このことにより、重なり合うバンドに起因して重畳された保持領域がより多く提供されるだけでなく、複数の保持領域の安定性が高まる。
【００１６】
保持構造は、少なくとも４つのバンドを備えてもよい。バンドは、第２のバンドが第３のバンドの上および第１のバンドの下に延在でき、第３のバンドが第４のバンドの上および第２のバンドの下に延在できるように、配置することができる。このことにより、特に安定した網状構造を提供することができる。かかる網状構造により、保持領域内に収容された物品の強固な付着を実現できる。物品が保持領域から滑り出るおよび紛失する可能性が、より一層低減される。
【００１７】
更に、保持領域のうちの少なくとも１つを、ポーチとして提供することができる。例えばバンドを１つの長縁部に沿ってシールすることによって、保持領域をポーチとして提供することができる。このことは、バックパックのように保持構造がバッグの表面に垂直に配向される場合、バンドを底縁部に沿ってシールすることによって実現できる。別法として、このことは、ダッフルバッグの場合のように保持構造が水平に配向される場合、バンドを右側面または左側面に沿ってシールすることによって実現されてもよい。バンドを底縁部に沿ってシールすることは、対応するバンドの底縁部をバッグのパネルに縫着、糊着、またはそれ以外の方法で接続するよって実現できる。これらの配置では、ポーチはバンドの幅と同じ深さになる。
【００１８】
ある例では、保持構造は、一方の一番外側の縁部に沿ってシールされてポーチを形成し得る、一番外側のバンドを備えてもよい。一番外側のバンドは、１つまたは複数の他のバンドの上に延在するバンドであり得る。一番外側のバンドは、第１のバンドであり得るか、または、第１のバンドの上に延在する任意の他のバンドであり得る。かかる構成の場合、物品は、変位した弾性のバンドの復元力によってまたは非弾性のバンドを締め付けることによってのいずれかで、バンドとパネルとの間に、またはバンドと下にあるバンドとの間に、維持される。
【００１９】
別法として、保持領域をポーチとして提供することは、ライニングをバンドに取り付けることによっても可能である。ライニングは軽量の可撓性材料であってもよい。ライニングは、１つまたは複数のバンドのバッグのパネルに隣接する面に取り付けることができる。別法として、ライニングは、１つまたは複数のバンドの長縁部に取り付けられてもよい。ライニングは、ライニングの底縁部をバッグのパネルにシールすることによって取り付けることできる。別法として、ライニングは、それ自体に折り重ねること、および、ライニングの頂縁部をライニングが延在する起点となっているバンドと同じ高さでバッグのパネルにシールすることによって、取り付けることができる。ライニングは、バッグのパネルにライニングの縁部を縫着、糊着、またはそれ以外の方法で接続することによって、シールすることができる。この構成では、物品は、ライニングとバッグのパネルとの間に維持されるか、またはバッグによって包まれる。
【００２０】
別の例では、２つ以上の保持領域が１つのポーチを形成し得る。重畳されたポーチに起因して、ポーチ内に収容された物品が特に確実に固定され、それらが滑り落ちることが防止される。別法として、ある保持領域はポーチを形成してもよく、一方、別の保持領域はポーチを形成しなくてもよい。このことにより、ポーチを形成しない保持領域は、上記ある保持領域によって形成されたポーチ内には収まらない可能性のあるより大きい物品を確実に保持することが可能になり、有利である。別法として、ポーチを形成しない保持領域により、物品をパネルに取り付けること、および、（ポーチを提供する１つの保持領域とのその重なり合いに起因して）その物品をこのポーチ内に部分的に挿入することが可能になる。この結果、特許請求する保持構造の収容に関するオプションの融通性は更に増加する。
【００２１】
一方の一番外側の縁部に沿ってシールされ得る一番外側のバンドは、基礎バンドであり得る。基礎バンドは、保持構造の他のバンドよりも幅広であり得る。したがって、基礎バンドは、保持構造の安定した基礎を形成するポーチを形成し得る。
【００２２】
また更に、バッグのパネル上に本質的に平行に配置され得る、保持構造の１つまたは複数のバンドは、各バンドとバッグのパネルとの間に配置されたライニングを、各々備えることができる。このことにより、１つまたは複数のポーチを形成することができる。ポーチはライニング同士の間に形成され得る。一例では、ポーチは同じサイズを有することができ、ここで同じとは「本質的に同じ」であるものと理解され、この場合、「本質的に」という用語は、当業者に知られているような通常の製造公差を包含するものと理解される。別法として、保持構造の１つまたは複数のバンドを、バッグのパネル上に本質的に平行に配置することができ、これらを各々、１つまたは複数のポーチを形成するように、１辺に沿ってシールすることができる。好ましくは、これらは同じ側、例えば、バックパックのように保持構造がバッグ上で垂直に配向される場合は底縁部、または、ダッフルバッグ上でのように保持構造が水平に配向される場合は右側面または左側面に沿って、シールされ得る。ある例では、１つまたは複数のポーチは本質的に同じサイズのものであり得る。好ましくは、１つまたは複数のポーチは、バンド同士の間に形成され得る。
【００２３】
更なる代替形態では、バッグのパネル上に本質的に平行に配置することのできる保持構造の１つまたは複数のバンドは各々、１つまたは複数のバンド上に配置されたライニングを備えることができ、各ライニングは基礎バンドまで延在し得る。このことにより、１つまたは複数の異なるサイズのポーチを形成することができる。このことにより、ポーチはライニング同士の間に形成され得る。
【００２４】
保持構造はバッグ上に配置された補強層を備えてもよく、補強層はパネルとバンドとの間に配置することができる。補強層により、保持構造の安定性を更に高めることができる。保持構造の安定性が高いほど、いずれかの保持領域内での物品の配置の安定性もまた高まり得る。補強層により、弾性のバンドが保持領域内に保持された物品をこの層に対して押圧するときに、追加の摩擦を提供することができる。
【００２５】
ある実施形態では、バンドの幅は、約１ｃｍから３０ｃｍの間であり得る。別の例では、幅は、約３ｃｍから２０ｃｍの間であり得る。更に別の例では、幅は、約５ｃｍから１５ｃｍの間であり得る。バンドの長さは、約１ｃｍから４５ｃｍの間であり得る。別の例では、長さは、約１０ｃｍから４５ｃｍの間であり得る。更に別の例では、長さは、約１５ｃｍから３０ｃｍの間であり得る。これらの値により、多種多様な弾性材料について、対応するポーチのサイズと安定性との間で合理的な折り合いが得られることが見出されている。ここでもやはり、「約」という用語は通常の製造公差を包含するものとする。より幅狭のバンドは、占有するスペースが幅広のバンドよりも小さく、小さい物品の保持を可能にする。他方で、より幅広のバンドは、より幅狭のバンドよりも大きいスペースを必要とするが、大きい物品を保持するためのより大きい維持力を提供する。より幅狭のバンドに関しては、特定の利用可能なエリアについて、幅広のバンドよりも多くの幅狭のバンドが提供され得る。このことにより、より多数の物品を安定して保持することができる。
【００２６】
ある実施形態では、保持構造の長さは、約５ｃｍから４５ｃｍの間である。別の例では、長さは、約１０ｃｍから３０ｃｍの間である。保持構造の高さは、約５ｃｍから３０ｃｍの間である。別の例では、高さは、約１０ｃｍから３０ｃｍの間である。小さい保持構造は占有するスペースがより小さく、これらはより小さい物品を確実に保持するために提供される。大きいおよび重い物品を保持するために、より大きい保持構造が提供される。
【００２７】
保持構造の更なる態様は、更なる従属請求項において規定される。
【００２８】
本発明の別の態様は、本明細書に記載するような保持構造を備え得るバッグに関する。
【００２９】
バッグ上でのかかる配置は、バッグの主コンパートメント内には収まらない可能性のある物品、または汚れた一足の靴などの外側に置いておくのが好ましい物品を、収容するおよびバッグに取り付けるための、多数のオプションを提供する。保持構造により、部分的に重なり合った状態で０°超９０°未満の角度を画定する、それらのバンドの特別な配置に起因して、かかる物品をバッグとともに確実に搬送することが可能になる。かかるバッグはバックパックとして提供される場合があり、この場合、保持構造はバックパックの背面に配置することができる。記載した保持構造をバックパックの背面上に配置することにより、嵩張る物品であっても、バックパックを背負っているときの快適さを犠牲にすることなく取り付けることができる。
【００３０】
別法として、保持構造を備える、バックパック以外のバッグを提供することができる。これには、限定するものではないが、ダッフルバッグ、スーツケース、ハンドバッグ、または任意の他の荷物用バッグを含めることができる。
【００３１】
本発明は以下の実施形態を含む。
［１］  バッグ用の保持構造（４００）であって、
ａ．  バッグのパネル（４０２）上に配置された第１のバンド（４１０）および第２のバンド（４１１）であって、各々が弾性材料を含む、第１のバンド（４１０）および第２のバンド（４１１）を備え、
ｂ．  第１のバンド（４１０）および第２のバンド（４１１）は部分的に重なり合った状態で０°超９０°未満の角度を画定し、この結果、２つの少なくとも部分的に重畳された保持領域が形成されている、保持構造（４００）。
［２］  バッグのパネル（４０２）上に配置された弾性材料を含む第３のバンド（４１２）を含み、第３のバンド（４１２）は、第１のバンド（４１０）および第２のバンド（４１１）の少なくとも一方と少なくとも部分的に重なり合い、この結果、第３の保持領域が形成されており、第３のバンド（４１２）は第１のバンド（４１０）と平行である、［１］に記載の保持構造（４００）。
［３］  バッグのパネル（４０２）上に配置された弾性材料を含む第４のバンド（４１３）を含み、第１のバンド（４１０）は第３のバンド（４１２）と平行であり、第２のバンド（４１１）は第４のバンド（４１３）と平行である、［２］に記載の保持構造（４００）。
［４］  重なり合うバンドを５つ以上備える、［３］に記載の保持構造（４００）。
［５］  少なくとも４つのバンド（４１０〜４１３）を備え、第２のバンド（４１１）は第３のバンド（４１２）の上および第１のバンド（４１０）の下に延在し、第３のバンド（４１２）は第４のバンド（４１３）の上および第２のバンド（４１１）の下に延在する、［１］〜［４］のいずれか１つに記載の保持構造（４００）。
［６］  保持領域のうちの少なくとも１つはポーチとして提供される、［１］〜［５］のいずれか１つに記載の保持構造（４００）。
［７］  保持構造の一番外側のバンドは一方の一番外側の縁部に沿ってシールされてポーチを形成している、［１］〜［６］のいずれか１つに記載の保持構造（４００）。
［８］  少なくとも１つのバンドとバッグのパネル（４０２）との間にライニングが配置されてポーチを形成している、［１］〜［７］のいずれか１つに記載の保持構造（４００）。
［９］  シールされた一番外側のバンドは基礎バンドであり、基礎バンドは保持構造の１つまたは複数の他のバンドよりも幅広である、［７］に記載の保持構造（４００）。
［１０］  バッグのパネル（４０２）上に平行に配置されている１つまたは複数のバンドは各々、１つまたは複数のポーチを形成するように各バンドとバッグのパネルとの間に配置されたライニングを備える、［３］〜［９］のいずれか１つに記載の保持構造（４００）。
［１１］  バッグのパネル（４０２）上に平行に配置されている１つまたは複数のバンドは各々、同じ側に沿ってシールされて１つまたは複数のポーチを形成している、［３］〜［１０］のいずれか１つに記載の保持構造（４００）。
［１２］  バッグのパネル（４０２）上に平行に配置されている１つまたは複数のバンドは各々、それらの表面上に配置されたライニングを備え、各ライニングは、基礎バンドまで延在して１つまたは複数のサイズの異なるポーチを形成している、［３］〜［１１］のいずれか１つに記載の保持構造（４００）。
［１３］  バッグ上に配置された補強層を更に備え、補強層はパネル（４０２）とバンドとの間に配置されている、［１］〜［１２］のいずれか１つに記載の保持構造（４００）。
［１４］  バンドの幅は１ｃｍから３０ｃｍの間であり、好ましくは３ｃｍから２０ｃｍの間であり、より好ましくは５ｃｍから１５ｃｍの間である、［１］〜［１３］のいずれか１つに記載の保持構造（４００）。
［１５］  バンドの長さは１ｃｍから４５ｃｍの間、好ましくは１０ｃｍから４５ｃｍの間、より好ましくは１５ｃｍから３０ｃｍの間である、［１］〜［１４］のいずれか１つに記載の保持構造（４００）。
［１６］  保持構造の長さは５ｃｍから４５ｃｍの間、好ましくは１０ｃｍから３０ｃｍの間であり保持構造の高さは５ｃｍから３０ｃｍの間、好ましくは１０ｃｍから３０ｃｍの間である、［１］〜［１５］のいずれか１つに記載の保持構造（４００）。
［１７］  バンドは本質的にバッグのパネル（４０２）の一方の側縁部からバッグのパネル（４０２）の他方の側縁部まで延在する、［１］〜［１６］のいずれか１つに記載の保持構造（４００）。
［１８］  保持構造はバッグの外側に配置されている、［１］〜［１７］のいずれか１つに記載の保持構造（４００）。
［１９］  ［１］〜［１８］のいずれか１つに記載の保持構造（４００）を備える、バッグ。
［２０］  バッグはバックパック（４０１）として提供され、保持構造（４００）はバックパック（４０１）の背面（４０２）に配置されている、［１９］に記載のバッグ。
【００３２】
本発明の可能な実施形態について、以下の詳細な説明において、以下の図面を参照して更に記載する。
【図面の簡単な説明】
【００３３】
【図１】バックパックの背面上に配置された２つの重なり合うバンドを備える、保持構造の実施形態の図である。
【図２】バックパックの背面上に配置された複数の対になったバンドを備える、保持構造の実施形態の図である。
【図３】各バンドにライナーが接続されて部分的に重畳されたポーチを形成している、２つの重なり合うバンドを備える保持構造の実施形態の図である。
【図４ａ】バックパックの背面上に配置された複数の対になったバンドを備える保持構造の実施形態を有するバックパックの、３次元の図である。
【図４ｂ】図４ａに係るバックパックの背面の２次元の図である。
【図５】バックパックの右側面上に配置された複数の対になったバンドを備える、保持構造の実施形態の図である。
【図６ａ】ダッフルバッグの左側面上に配置された複数の対になったバンドを備える保持構造の実施形態を有するダッフルバッグの、３次元の図である。
【図６ｂ】図６ａに係るダッフルバッグの左側面の２次元の図である。
【発明を実施するための形態】
【００３４】
以下では、本発明の実施形態について、バックパックおよびダッフルバッグを参照して記載する。ただし、以下に記載する様々な特徴は、他のタイプのバッグなどの他の搬送手段に等しく適用可能であることを、当業者は容易に認識するであろう。更に、記載される保持構造は、衣料品、例えばジャケットの内部でおよび／または外面上で数または物品を運ぶことが容易になるように、ジャケットに組み込みまたは取り付け可能である。
【００３５】
更に、以下に記載する特徴は組み合わせて使用する必要はなく、別のやり方で組み合わせることもでき、この場合個々の特徴を省略することもできることに、留意すべきである。冗長になるのを回避するために、好ましい実施形態の以下の詳細な説明にも依然として一般的に適用可能である、既出の項のより一般的な説明を特に参照する。
【００３６】
図１は、バックパック１０１の背面上に配置された保持構造１００の実施形態を示す。
【００３７】
バックパック１０１はバックパック１０１の背面を形成するパネル１０２を備え、この表面上に２つの重なり合うバンド１１０、１１１が配置されている。バックパック１０１は、バックパック１０１の下端部に配置された底部区域１０３を更に備える。バックパック１０１の頂部には、バックパック１０１の１つまたは複数のコンパートメント（図示せず）内に物品を詰めることができるようにするために、開口部１０４が配置されている。開口部１０４には、バックパック１０１のこのコンパートメントを閉じるためのジッパーを設けてもよい。更に、バックパック１０１は、左側面上および右側面上に、２つの側方ポーチ１０５を備えている。バックパック１０１の前面上には、ショルダーストラップを配置することができる（図示せず）。
【００３８】
図１の実施形態では、バンド１１０、１１１は、上で既に説明したように、背面上に配置されている。第１のバンド１１０は、バックパック１０１のパネル１０２上の中心に配置されている。更に、第１のバンド１１０は、バックパック１０１の左側面から右側面まで対称な形状で延在し得る。言い換えれば、バンド１１０の幅は左から右まで一定のままである。第１のバンド１１０は、バックパック１０１の背面の左側縁部および右側縁部のところで、パネル１０２に縫着されている。別法として、バンド１１０は、バックパック１０１のパネル１０２の左側縁部および右側縁部に、糊着または他の方法で取り付けることができる。
【００３９】
第２のバンド１１１は、バックパック１０１の右側面から左側面の方向へと延在し、この場合第２のバンド１１１は、部分的に第１のバンド１１０の下に延在する。第２のバンド１１１は、第１のバンド１１０と非平行となるように配置されている。２つの部分的に重なり合うバンド１１０および１１１の間の交差角度は、約３０度である。更に別の例では、角度は約１０度から８０度であり得るか、または５０度であり得る。
【００４０】
図１の実施形態によれば、第２のバンド１１１は、第２のバンド１１１の右側方の辺上の一番上の点が、第１のバンド１１０の左側方の辺上の一番上の点と本質的に整列されるように、すなわち、第１のバンド１１０および第２のバンド１１１の一番上の点がバックパックの背面にわたって延びる仮想上の本質的に水平な線の上にあるように、配置されている。同様に、第２のバンド１１１の右側方の辺上の一番低い点は、第１のバンド１１０の左側方の辺上の一番低い点と本質的に整列される。更に、第２のバンド１１１の右側縁部は、第１のバンド１１０の右側縁部と整列されている、すなわち、第２のバンド１１１の右側縁部は、第１のバンド１１０の右側縁部の延長線を形成している。
【００４１】
図１において容易に見て取れるように、部分的に重なり合う第１のバンド１１０および第２のバンド１１１は、２つの部分的に重畳された保持領域を提供する。第１の保持領域は第１のバンド１１０と第２のバンド１１１との間に提供され、第２の保持領域は第２のバンド１１１とバックパック１０１のパネル１０２との間に提供される。全体として、バックパック１０１の背面上のパネル１０２上に、一方の保持領域が部分的に他方の背後にある、２つの部分的に重畳された保持領域が提供されるが、バックパック１０１の背面上の最小限の面積しか必要としない。
【００４２】
図１の実施形態では、第２のバンド１１１は第１のバンド１１０に対して距離を置いて配置されており、この距離は、第１のバンド１１０の右側方の辺上の一番上の点と、第２のバンド１１１の右側方の辺上の一番低い点との間の間隙として測定することができる。この距離は約５ｃｍである。ある例では、距離は、約１ｃｍから１５ｃｍの間であり得る。別の例では、距離は、約１ｃｍから１０ｃｍの間であり得る。更に別の例では、距離は、約２ｃｍから５ｃｍの間であり得る。
【００４３】
別の実施形態では、第２のバンド１１１の右側方の辺上の一番低い点は、第１のバンド１１０の右側方の辺上の一番上の点に当接してもよい。別法として、第２のバンド１１１の右側方の辺上の一番低い点は、第１のバンド１１０の右側方の辺上の一番上の点と重なり合ってもよい。第２のバンド１１１はその場合、第１のバンド１１０の下で右側方の辺から左側方の辺まで延在し、このとき第２のバンド１１１の幅は不変であってもよい。第１のバンドおよび第２のバンドの幅は、第１のバンドおよび第２のバンドのそれぞれの、例えば右側方の辺上の、一番低い点と一番上の点との間の距離として与えられてもよい。
【００４４】
図１に係る実施形態では、バンドはエラステインを含む。代替の実施形態では、バンドはまた、ゴム、ポリウレタン、またはバンドにある程度の弾性をもたらす他の材料も含み得る。
【００４５】
図２は、バックパック２０１の背面上に配置された保持構造２００の別の実施形態を示す。図２の実施形態では、複数のバンド２１０〜２１７は、バックパック２０１のパネル２０２上に配置されている。バックパック２０１のパネル２０２の下端部に位置する重なり合うバンド２１０および２１１に加えて、対となる本質的に平行なバンド２１２〜２１７が配置されている。第３のバンド２１２および第４のバンド２１３の対は、左側方の辺から右側方の辺まで延在する第３のバンド２１２の底縁部が、第１のバンド２１０の一番上の縁部と本質的に整列されるように、配置することができる。更に、第３のバンド２１２は、第４のバンド２１３の上、第２のバンド２１１の下に延在する。右側面から左側面まで延在する第４のバンド２１３では、第４のバンド２１３の底縁部は、第２のバンド２１１の一番上の縁部と整列される。更に、第４のバンド２１３は、第５のバンド２１４の上および第３のバンド２１２の下および第１のバンド２１０の下に延在する。更に、第３のバンド２１２および第４のバンド２１３の側縁部を、第１のバンド２１０および第２のバンド２１１の側縁部によって形成される線に沿って、右側縁部上および左側縁部上で整列させることができる。
【００４６】
更なる対になる平行なバンド２１４〜２１７は、バンド２１０〜２１３と同様の様式で整列される。バンド２１４および２１５の対は、バンド２１２および２１３の対と、ならびにバンド２１０および２１１と、本質的に平行に整列されている。バンド２１６および２１７の対は、バンド２１４および２１５の対と、ならびにバンド２１２、２１３および２１０、２１１と、本質的に平行に整列されている。バンド２１０〜２１７の対になる平行な配置に起因して、極めて安定した網状の構造が形成され、重い物品もまた確実に取り付けることが可能になる。
【００４７】
別の実施形態では、任意の恣意的な数のバンド、例えば、３つ、４つ、５つ、または任意の他の数のバンドを設けることができる。
【００４８】
いくつかの例では、第３のバンド２１２は、保持構造１００の第２のバンド１１１に関して上で説明したのと同様に、第１のバンド２１０および／または第２のバンド２１１まで距離を置いて設けることができる。別法として、第３のバンド２１２は、第１のバンド２１０と重なり合ってもよい。同様の考察は、適用され得る任意の更なるバンドにも当てはまる。
【００４９】
この実施形態では、第１のバンド２１０および第２のバンド２１１以外の他のバンド２１２〜２１７の様々な設計オプションについて検討したが、図１の保持構造１００に係る第１のバンド１１０および第２のバンド１１１に関して概説したような様々な設計オプションもまた、本実施形態に適合する。
【００５０】
図３は、２つの重なり合うバンド３１０および３１１を有する保持構造の実施形態を示しており、２つのバンド３１０、３１１によって形成された２つの部分的に重畳された保持領域は、２つの部分的に重畳されたポーチとして提供される。
【００５１】
第１のバンド３１０および第２のバンド３１１は、図１に係る実施形態に関して記載したのと同様に、バックパック３０１のパネル３０２上に配置されている。図１の実施形態とは異なり、バンド３１０および３１１には、ポーチを形成するためのライニング３１２および３１３が各々設けられている。
【００５２】
例示的な保持構造３００では、ライニング３１２および３１３は、バンド３１０および３１１の下側に接続されている。ライニングは、バンド３１０および３１１に縫着、糊着、またはその他の方法で接続することができる。これらは、バンドの正面または後面に接続することができ、この後面はバックパック３０１のパネル３０２に向いている。別の例では、ライニングは、バンドの異なる部分に接続することができる。例えば、ライニングは、バンド３１０、３１１を完全に覆ってもよく、または、バンドを部分的にのみ覆ってもよい。別法として、ライニングは、バンド３１０、３１１の一方にのみ接続されてもよい。
【００５３】
ライニング３１２、３１３は、ライニングの両側縁部においておよび底縁部において、バックパック３０１の背面上のパネル３０２に更に接続される。このことにより、バンド３１０、３１１に接続されたライニング３１２、３１３はポーチを形成し、この場合、あるポーチはライニング３１２とライニング３１３との間に形成され、別のポーチはライニング３１３とバックパックのパネル３０２との間に形成される。示されている実施形態では、ライニング３１２および３１３の側縁部は、様々なバンドに関して上記したのと同様に、バンド３１０および３１１の側縁部と整列されている。また、ライニング３１２、３１３の底縁部は整列されている。所与の実施形態において、ライニングの底縁部は、バックパック３０１の底部区域３０３と整列されている。別の実施形態では、リング３１２および３１３は、複数のポーチを形成するのに、側縁部および／または底縁部が揃っていなくてもよい。ライニング３１２および３１３は、形成されるポーチが異なるサイズを有するように、またはそれらが本質的に同じサイズを有するように、設けることができる。
【００５４】
上記に加えてまたは上記の別法として、一方または両方のバンド３１０、３１１の底縁部を、例えば、底縁部をバックパックのパネル３０２に縫着、糊着、またはそれ以外の方法で接続することによってシールすることができ、この結果ポーチが得られる。ある例では、バンド３１１を、第１のバンド３１０の底縁部と整列させ、これに接続することができる。このことにより、本質的に同じサイズのまたは様々なサイズの複数のポーチを提供することもできる。
【００５５】
この実施形態では、ポーチを提供することに関して様々な設計オプションについて検討したが、図１の保持構造１００に係る第１のバンド１１０および第２のバンド１１１に関して概説したような様々な設計オプションもまた、本実施形態に適合する。また、図２の保持構造２００のバンド２１０〜２１７に関して行った考察はまた、本実施形態にも当てはまる。
【００５６】
図４は、バックパック４０１のパネル４０２上の保持構造４００の別の実施形態を示す。図４ａはバックパックの３次元の図であり、図４ｂは、バックパック４０１の背面上に配置された保持構造４００の２次元の図を示す。図４ａから見て取れるように、バックパックは、ジッパーを備えた更なる開口部４０５を備える。このことにより、バックパック４０１の１つまたは複数の主コンパートメント（図示せず）内に物品を詰めることが可能になる。
【００５７】
第１のバンド４１０は、底部区域４０３の一番上の縁部と整列されている。更に、第１のバンド４１０は、バックパック４０１の左側面から右側面まで非対称な形状で延在し得る。言い換えれば、バンド４１０の幅は左から右へと小さくなる。第１のバンド４１０は、バックパック４０１の背面の左側縁部および右側縁部においてならびに底縁部において、パネル４０２に縫着されている。別法として、バンド４１０は、バックパック４０１のパネル４０２の左側縁部および右側縁部および底縁部に、糊着またはその他の方法で取り付けることができる。特に、バンド４１０の底縁部をパネル４０２に縫着、糊着、またはその他の方法で取り付けることによって、第１のバンドは側縁部に加えて底縁部にも沿ってシールされ、このことにより第１のポーチが形成される。
【００５８】
第２のバンド４１１は、バックパック４０１の右側面から左側面の方向へと延在し、この場合第２のバンド４１１は、部分的に第１のバンド４１０の下に延在する。第２のバンド４１１は、第１のバンド４１０と非平行となるように配置されている。２つの部分的に重なり合うバンド４１０および４１１の間の交差角度は、約１０度から８０度であり得る。更に別の例では、角度は約５０度であり得る。
【００５９】
図４の実施形態によれば、第２のバンド４１１は、第２のバンド４１１の右側方の辺上の一番上の点が、第１のバンド４１０の左側方の辺上の一番上の点と本質的に整列されるように、すなわち、第１のバンド４１０および第２のバンド４１１の一番上の点がバックパックの背面にわたって延びる仮想上の本質的に水平な線の上にあるように、配置されている。更に、第２のバンド４１１の右側縁部は、第１のバンド４１０の右側縁部と整列されている、すなわち、第２のバンド４１１の右側縁部は、第１のバンド４１０の右側縁部の延長線を形成している。ある例では、第２のバンド４１１の底縁部は、第１のバンド４１０の底縁部（図４には図示せず）と整列されてもよく、第２のバンド４１１の左縁部は、第１のバンド４１０の左側縁部（図示せず）と整列されてもよい。第１のバンド４１０の場合と同様に、第２のバンド４１１は、その両側縁部および底縁部をバックパック４０１の背面４０２に接続されて、別のポーチを形成することができる。
【００６０】
別法として、第２のバンド４１１の底縁部は、第１のバンド４１０の底縁部と整列されていなくてもよい。この場合、第２のバンド４１１の底縁部は、第１のバンド４１０の底縁部に対して上向きに変位されていてもよい。更にまた、第１のバンド４１０および第２のバンド４１１の一番上の点は、本質的に水平な線の上になくてもよく、かつ／または、右側縁部および左側縁部は整列されていなくてもよい。
【００６１】
図４において容易に見て取れるように、部分的に重なり合う第１のバンド４１０および第２のバンド４１１は、図１のバンド１１０および１１１と同様に、２つの部分的に重畳された保持領域を提供する。
【００６２】
別の実施形態では、第２のバンド４１１の右側方の辺上の一番低い点は、第１のバンド４１０の右側方の辺上の一番上の点に当接してもよい。第２のバンド４１１はその場合、第１のバンド４１０の下で右側方の辺から左側方の辺まで延在し、このとき第２のバンド４１１の幅は不変であってもよい。この実施形態では、第２のバンドの幅は、第２のバンドの右側方の辺上の一番低い点と一番上の点との間の距離として与えられてもよい。
【００６３】
別の実施形態では、第２のバンド４１１は、図１のバンド１１１に関して説明したのと同様に、第１のバンド４１０に対して距離を置いて配置することができる。
【００６４】
図４の実施形態によれば、第１のバンド４１０および第２のバンド４１１と同様に、対となる本質的に平行なバンド４１２〜４１９は、図２のバンド２１２〜２１７と同様に配置されている。したがって、冗長になるのを回避するために、これらの説明はここでは繰り返さない。
【００６５】
図４に係る実施形態では、第１のバンド４１０は、他のバンド４１１〜４１９の各々よりも幅広であってもよい。別の例では、第１のバンドの幅は、２つ以上のまたは更には全ての他のバンド４１１〜４１９の合計よりも、大きくあってさえよい。第１のバンド４１０は、保持構造４００のポーチによって安定した基礎を提供する、基礎バンドとして提供される。加えてまたは別法として、同じ考察が第２のバンド４１１に当てはまり得る。別の例では、第１のバンドは、基礎バンドとして提供されるために、底縁部をパネルに取り付けられていなくてもよい。更なる例では、バンドのうちの１つまたは複数は、ジッパー、ノブ、Ｖｅｌｃｒｏ（登録商標）ファスナ、または他の閉鎖機構を備えてもよい。
【００６６】
別の実施形態では、任意の恣意的な数のバンド、例えば、３つ、４つ、５つ、または任意の他の数のバンドを設けることができる。
【００６７】
図３に係る実施形態に関して上で既に概説したのと同様に、更なる実施形態では、バンド４１０〜４１９のうちの少なくとも１つ（図４には図示せず）に、ライニングを縫着、糊着、または他の方法で取り付けることができる。ある例では、ライニングは、第３のバンド４１２の、バックパック４０１の背面上のパネル４０２に向けられた面に接続することができる。ライニングは、バンド４１２の、バックパック４０１のパネル４０２に向けられた面を完全に覆ってもよく、または、バンドを部分的にのみ覆ってもよい。ライニングは、ライニングの両側縁部においておよび底縁部において、バックパック４０１の背面上のパネル４０２に更に接続することができる。このことにより、バンド４１２に接続されたライニングは別のポーチを形成し、この場合、ポーチはライニングとバックパックのパネル４０２との間に形成される。ある例では、ライニングの側縁部は、様々なバンドに関して上記したのと同様に、バンド４１０および４１１の側縁部と整列させることができる。また、ライニングの底縁部は、バンド４１０および４１１１のうちの１つまたは複数の底縁部と整列させることもできる。別の実施形態では、任意の他のバンド４１１〜４１９にライニングを接続することができ、または、複数のポーチを形成するように各バンドにおいてライニングを接続することができる。ある例では、ライニングは、本質的に平行に配置されている１つまたは複数のまたは更には全てのバンド、例えば、バンド４１０、４１２、４１４、４１６、および４１８、またはバンド４１１、４１３、４１５、および４１７に、接続することができる。ライニングは更に、形成されるポーチが本質的に同じサイズを有するように設けられてもよい。ライニングはまた、形成されるポーチが異なるサイズを有するように設けられてもよい。ある例では、例えば平行に配置されている、１つまたは複数のまたは全てのバンドに接続されたライニングを全て、第１のバンド４１０の底縁部に接続してもよい。このことにより、ライニングとともにポーチを形成する一番上のバンドから、第１のバンド４１０によって提供されるポーチへと、ポーチのサイズが小さくなる。
【００６８】
上記に加えてまたは上記の別法として、更なるバンド４１１〜４１９のうちの１つまたは複数の底縁部を、例えば、底縁部をバックパックのパネル４０２に縫着、糊着、またはそれ以外の方法で接続することによってシールすることができ、この結果ポーチが得られる。ある例では、バンド４１１〜４１９のうちの１つまたは複数を、第１のバンド４１０の底縁部と整列させ、これに接続することができる。このことにより、様々なサイズの複数のポーチ提供することができる。別の例では、本質的に平行に配置されている、１つまたは複数のまたは更には全てのバンド、例えばバンド４１０、４１２、４１４、４１６、および４１８、またはバンド４１１、４１３、４１５、および４１７を、提供されるポーチのサイズが一番上のバンドから第１のバンド４１０へと小さくなるように、第１のバンド４１０の底縁部と整列させ、これに接続することができる。別の例では、本質的に同様のサイズのポーチが提供されるように、本質的に平行に配置されている、１つまたは複数のまたは更には全てのバンドの底縁部を、上向きに変位させることができる、例えば、バンド４１２の底縁部をバンド４１０の底縁部に対して上向きに変位させることができる、バンド４１４の底縁部をバンド４１２の底縁部に対して上向きに変位させることができる、など以下同様である。
【００６９】
別の実施形態では、補強層を設けることもできる（図４には図示せず）。補強層は、バックパックのパネル４０２とバンド４１０〜４１９との間に配置することができる。補強層は、発泡体を含んでもよい。別の例では、補強層は、板材を含んでもよい。
【００７０】
図４から明らかに導き出せるように、記載した実施形態ではより多数の部分的に重畳された保持領域が提供され、バックパックの背面上の利用可能なスペースが半分をごく僅かに超えて使用されている。記載した部分的な重なり合いに起因して、バンド４１０〜４１９は延びないように互いを補助しており、このことにより、記載した保持領域内での物品の確実な収容が保証される。様々な保持領域内に収容された多数であり得る物品のいずれかが保持領域のいずれかから滑り出るリスクが、したがって最小になる。
【００７１】
この実施形態では、第１のバンド４１０および第２のバンド４１１の異なる形状が示されているが、図１の保持構造１００に係る第１のバンド１１０および第２のバンド１１１に関して概説したような様々な設計オプションもまた、本実施形態に適合する。また、図２の保持構造２００に関して検討した、バンド２１０〜２１７に関する様々な設計オプションもまた、本実施形態に適合する。更に、図３の実施形態に関して検討した、ポーチの提供についての設計オプションは、本実施形態に適合する。
【００７２】
図５の実施形態では、保持構造５００は、バックパック５０１の右側面５０２上に配置されている。
【００７３】
バックパック５０１は、バックパック５０１の右側面を形成するパネル５０２を備え、この表面上にバンド５１０〜５１９が配置されている。バックパック５０１は、バックパック５０１の上面に配置された頂部区域５０３および５０４を更に備える。バックパック５０１はまた、背面区域５０５およびショルダーストラップ５０７が配置されている前面区域も備える。更に、バックパック５０１は、バックパック５０１の頂部から側面まで延在するジッパー５０６を備えている。このことにより、主コンパートメントを開閉することができる。
【００７４】
バックパック５０１の右側面にあるパネル５０２において、図４の実施形態に係るバンド４１０〜４１９と同様に配置されている弾性のバンド５１０〜５１９を備える保持構造が提供される。したがって、保持構造４００に関して行ったのと同じ説明が保持構造５００にも当てはまり、冗長になるのを回避するためにここではそれらを繰り返さない。
【００７５】
加えてまたは別法として、保持構造５００は、任意の他の面、例えばバックパック５０１の左側面上に配置することができ、かつ／または、バックパックの５０１の底面上に配置することができ、かつ／または、バックパック５０１の内側に配置することができる。しかしながら、図４に示すように保持構造を背面上に配置する場合に、保持構造が提供する保持領域内に追加の物品を配置するための、最大のスペースが提供される。
【００７６】
この実施形態では、バックパックの側面上に保持構造を提供することに関して様々な設計オプションについて検討したが、図４の保持構造４００に関して概説したような様々な設計オプションもまた、本実施形態に適合する。保持構造４００と比較して、本保持構造５００はそのサイズに関してのみ異なっており、このサイズは、保持構造５００がバックパックの側面上にフィットするように適合されている。
【００７７】
図６の実施形態では、保持構造６００は、ダッフルバッグ６０１の左側面に配置されている。
【００７８】
ダッフルバッグ６０１は、ダッフルバッグ６０１の左側面を形成するパネル６０２を備え、この表面上にバンド６１０〜６１８が配置されている。ダッフルバッグは、前面区域６０３および背面区域６０４を更に備える。更に、ダッフルバッグの頂部区域６０５には、バックパック６０１の１つまたは複数の主コンパートメント（図示せず）内に物品を詰めることができるようにするために、ジッパーが配置されている。頂部区域６０５には、前面区域６０３から背面区域６０４まで延在する、ハンドストラップ６０６も配置されている。ハンドストラップ６０６は、これらが場合によってはダッフルバッグ６０１をバックパックと同様に背負うためのショルダーストラップの役割も果たすように、設けられている。
【００７９】
ダッフルバッグ６０１の左側面にあるパネル６０２において、図４および図５の実施形態に係るバンド４１０〜４１９または５１０〜５１９と同様に配置されている弾性のバンド６１０〜６１８を備える保持構造６００が提供される。したがって、保持構造４００に関して行ったのと同じ説明が保持構造６００にも当てはまる。冗長になるのを回避するために、それらはここでは繰り返さない。
【００８０】
バックパックに関して説明したのと同様に、加えてまたは別法として、保持構造６００は、任意の他の面、例えばダッフルバッグ６０１の右側面上に配置することができ、かつ／または、ダッフルバッグ６０１の底面上に配置することができ、かつ／または、ダッフルバッグ６０１の前面および／もしくは背面上に配置することができ、かつ／または、ダッフルバッグ６０１の内側に配置することができる。しかしながら、図６に示すように保持構造を右側面および／または左側面上に配置する場合に、保持構造が提供する保持領域内に追加の物品を配置するための、最大のスペースが提供される。
【００８１】
この実施形態では、ダッフルバッグ上に保持構造を提供することに関して様々な設計オプションについて検討したが、保持構造４００および５００に関して概説したような様々な設計オプションもまた、本実施形態に適合する。保持構造４００および５００と比較して、本保持構造６００はそのサイズに関してのみ異なっており、このサイズは、保持構造がダッフルバッグの側面上にフィットするように適合されている。
【符号の説明】
【００８２】
１００  保持構造
１０１  バックパック
１０２  パネル
１０３  底部区域
１０４  開口部
１０５  側方ポーチ
１１０  バンド
１１１  バンド
２００  保持構造
２０１  バックパック
２０２  パネル
２０３  底部区域
２０４  開口部
２０５  側方ポーチ
２１０  第１のバンド
２１１  第２のバンド
２１２  第３のバンド
２１３  第４のバンド
２１４  第５のバンド
２１５  バンド
２１６  バンド
２１７  バンド
３００  保持構造
３０１  バックパック
３０２  パネル
３０３  底部区域
３０４  開口部
３０５  側方ポーチ
３１０  第１のバンド
３１１  第２のバンド
３１２  ライニング
３１３  ライニング
４００  保持構造
４０１  バックパック
４０２  パネル
４０３  底部区域
４０５  開口部
４１０  第１のバンド
４１１  第２のバンド
４１２  第３のバンド
４１３  バンド
４１４  バンド
４１５  バンド
４１６  バンド
４１７  バンド
４１８  バンド
４１９  バンド
５００  保持構造
５０１  バックパック
５０２  パネル
５０３  頂部区域
５０４  頂部区域
５０５  背面区域
５０６  ジッパー
５０７  ショルダーストラップ
５１０  バンド
５１１  バンド
５１２  バンド
５１３  バンド
５１４  バンド
５１５  バンド
５１６  バンド
５１７  バンド
５１８  バンド
５１９  バンド
６００  保持構造
６０１  ダッフルバッグ
６０２  パネル
６０３  前面区域
６０４  背面区域
６０５  頂部区域
６０６  ハンドストラップ
６１０  バンド
６１１  バンド
６１２  バンド
６１３  バンド
６１４  バンド
６１５  バンド
６１６  バンド
６１７  バンド
６１８  バンド
【図１】
2020036879.tif 000003
【図２】
2020036879.tif 000004
【図３】
2020036879.tif 000005
【図４ａ】
2020036879.tif 000006
【図４ｂ】
2020036879.tif 000007
【図５】
2020036879.tif 000008
【図６ａ】
2020036879.tif 000009
【図６ｂ】
2020036879.tif 000010
【外国語明細書】
2020036879000001.pdf